(57)【要約】【課題】会員カードと電子マネーカードの管理を容易にすることを支援可能なレジシステムを提供する。【解決手段】レジシステム２は、電子マネーカード１から、電子マネーと電子マネーカード１の識別情報１ｂとを読み取る通信部２４と、電子マネーカード１の識別情報１ｂを会員特定情報として使用して会員登録処理を行うことが可能なサーバ４にアクセスするためのアクセス情報を記憶する記憶部２１と、通信部２４にて読み取られた電子マネー１ａを用いて会計処理を行うと共に、通信部２４にて読み取られた電子マネーカード１の識別情報１ｂと、記憶部２１に記憶されたアクセス情報とを、会計処理の結果と共に記録紙に印刷する処理部２６と、を含む。【選択図】図１
2009053837.tif 000002
【特許請求の範囲】
【請求項１】
電子マネー記録媒体から、電子マネーと前記電子マネー記録媒体の識別情報とを読み取る通信部と、
前記識別情報を会員特定情報として使用して会員登録処理を行うことが可能なサーバにアクセスするためのアクセス情報を記憶する記憶部と、
前記通信部にて読み取られた電子マネーを用いて会計処理を行うと共に、前記通信部にて読み取られた識別情報と、前記記憶部内のアクセス情報とを、前記会計処理の結果と共に記録紙に印刷する処理部と、を含むレジシステム。
【請求項２】
請求項１に記載のレジシステムにおいて、
前記処理部は、
前記通信部にて読み取られた電子マネーを用いて会計処理を行う制御部と、
少なくとも前記識別情報と前記アクセス情報をまとめてコード化するコード化部と、
前記コード化部にてコード化された情報を、前記会計処理の結果と共に前記記録紙に印刷する印刷部と、を含むレジシステム。
【請求項３】
請求項２に記載のレジシステムにおいて、
前記コード化部は、少なくとも前記識別情報と前記アクセス情報をまとめてＱＲコードに変換する、レジシステム。
【請求項４】
会員特定情報と会員の個人情報とを互いに関連づけて格納するための格納部と、
請求項１から３のいずれか１項に記載のレジシステムにて電子マネー記録媒体の識別情報が印刷された記録紙より当該識別情報を取得する端末から、当該識別情報を受け付ける受付部と、
前記受付部が前記識別情報を受け付けた場合に、前記個人情報の入力を促し、前記個人情報が入力された場合に、前記識別情報を前記会員特定情報として前記格納部に格納すると共に前記個人情報を前記識別情報に関連づけて前記格納部に格納する管理部と、を含む会員登録サーバ。
【請求項５】
請求項４に記載の会員登録サーバにおいて、
前記管理部は、前記個人情報が入力された場合に、前記識別情報に対応する会員識別子を発行し、前記識別情報と前記会員識別子を、前記会員特定情報として前記格納部に格納する、会員登録サーバ。
【発明の詳細な説明】
【技術分野】
【０００１】
本発明は、レジシステムおよび会員登録サーバに関し、特には、電子マネー対応のレジシステムおよび会員登録サーバに関する。
【背景技術】
【０００２】
従来、種々の会員サービスが存在する。会員サービスが提供される場合、会員ごとに会員番号が割り当てられ、各会員には、会員番号が登録された会員カードが付与される。
【０００３】
また、電子マネーを保持できる電子マネーカードも普及し始めている。なお、電子マネーカードには、そのカードのＩＤ（識別情報）が登録されている。
【発明の開示】
【発明が解決しようとする課題】
【０００４】
利用者は、いろいろな会員になるたびに、会員カードを受け取る。このため、利用者は、複数種類の会員になると、多くの会員カードを管理しなければならない。また、利用者は、さらに電子マネーを利用する場合には、電子マネーカードも管理しなければならない。
【０００５】
本発明の目的は、会員カードと電子マネーカードの管理を容易にすることを支援可能なレジシステムおよび会員登録サーバを提供することである。
【課題を解決するための手段】
【０００６】
上記目的を達成するために、本発明のレジシステムは、電子マネー記録媒体から、電子マネーと前記電子マネー記録媒体の識別情報とを読み取る通信部と、前記識別情報を会員特定情報として使用して会員登録処理を行うことが可能なサーバにアクセスするためのアクセス情報を記憶する記憶部と、前記通信部にて読み取られた電子マネーを用いて会計処理を行うと共に、前記通信部にて読み取られた識別情報と、前記記憶部内のアクセス情報とを、前記会計処理の結果と共に記録紙に印刷する処理部と、を含む。
【０００７】
上記発明によれば、電子マネーでの会計時に、電子マネー記録媒体の識別情報と、その識別情報を会員特定情報として使用して会員登録処理を行うことが可能なサーバにアクセスするためのアクセス情報とが、会計の結果と共に記録紙に印刷される。
【０００８】
このため、電子マネー記録媒体の所有者は、その印刷内容を用いてサーバに接続すれば、電子マネー記録媒体の識別情報を会員特定情報として使用することが可能になる。よって、電子マネー記録媒体の識別情報が、会員特定情報として兼用され、例えば、一枚の電子マネー記録媒体を、いろいろな会員カードとして兼用することが可能となる。
【０００９】
したがって、電子マネー記録媒体の所有者は、会員カードの管理が容易になり、また、会員サービスの提供者は、カードの発行を抑制することが可能になる。
【００１０】
なお、前記処理部は、前記通信部にて読み取られた電子マネーを用いて会計処理を行う制御部と、少なくとも前記識別情報と前記アクセス情報をまとめてコード化するコード化部と、前記コード化部にてコード化された情報を、前記会計処理の結果と共に前記記録紙に印刷する印刷部と、を含むことが望ましい。
【００１１】
上記発明によれば、少なくとも識別情報とアクセス情報とがまとめてコード化されているので、少なくとも識別情報とアクセス情報とをまとめてデコードすることが可能になる。
【００１２】
また、前記コード化部は、少なくとも前記識別情報と前記アクセス情報をまとめてＱＲコードに変換することが望ましい。
【００１３】
現在、多くの携帯電話は、ＱＲコードのデコード機能を備えている。このため、例えば、電子マネー記録媒体の所有者は、記録紙に印刷されたＱＲコードを携帯電話で撮影してデコードすることにより、識別情報を会員特定情報として使用して会員登録処理を行うことが可能なサーバに簡単にアクセスすることが可能になる。
【００１４】
本発明による会員登録サーバは、会員特定情報と会員の個人情報とを互いに関連づけて格納するための格納部と、上記レジシステムにて電子マネー記録媒体の識別情報が印刷された記録紙より当該識別情報を取得する端末から、当該識別情報を受け付ける受付部と、前記受付部が前記識別情報を受け付けた場合に、前記個人情報の入力を促し、前記個人情報が入力された場合に、前記識別情報を前記会員特定情報として前記格納部に格納すると共に前記個人情報を前記識別情報に関連づけて前記格納部に格納する管理部と、を含む。
【００１５】
上記発明によれば、電子マネー記録媒体の識別情報が会員特定情報として使用される。
このため、電子マネー記録媒体の識別情報が、会員特定情報として兼用され、例えば、一枚の電子マネー記録媒体を、いろいろな会員カードとして兼用することが可能となる。よって、電子マネー記録媒体の所有者は、会員カードの管理が容易になり、また、会員サービスの提供者は、カードの発行を抑制することが可能になる。
【００１６】
なお、前記管理部は、前記個人情報が入力された場合に、前記識別情報に対応する会員識別子を発行し、前記識別情報と前記会員識別子を、前記会員特定情報として前記格納部に格納することが望ましい。
【００１７】
上記発明によれば、例えば、予め会員特定情報用に使われていた会員識別子を使いながら、電子マネー記録媒体の識別情報を会員特定情報として使用することが可能になる。よって、会員識別子を有効に使用することが可能になる。
【発明の効果】
【００１８】
本発明によれば、会員カードと電子マネーカードの管理を容易にすることを支援可能となる。
【発明を実施するための最良の形態】
【００１９】
以下、本発明の実施形態を、図面を参照して説明する。
【００２０】
図１は、本発明の第１実施形態のレジシステムおよびサーバを用いたサービスシステムを示したブロック図である。
【００２１】
本サービスシステムは、電子マネーカード１と、レジシステム２と、携帯電話３と、会員情報管理するサーバ４とを含む。
【００２２】
レジシステム２と携帯電話３とサーバ４のそれぞれは、インターネット等の通信回線５に接続可能である。なお、レジシステム２は、通信回線５と異なる専用の通信回線を介してサーバ４と通信してもよい。
【００２３】
電子マネーカード１は、電子マネー記録媒体の一例である。なお、電子マネー記録媒体の形状は、カード形状に限らず適宜変更可能である。
【００２４】
電子マネーカード１は、電子マネー１ａと、電子マネーカード１の識別情報１ｂとを記憶している。
【００２５】
レジシステム２は、記憶部２１と、日時計時部２２と、入力部２３と、通信部２４と、送受信部２５と、処理部２６とを含む。処理部２６は、ＱＲコード化部２７と、印刷部２８と、制御部２９とを含む。レジシステム２は１台でもよいが、複数のレジシステム２が設けられることが望ましい。
【００２６】
記憶部２１は、サーバ４が有する会員登録処理用ＷｅｂサイトのＵＲＬ（以下「会員登録処理用ＵＲＬ」と称する。）２１ａと、サーバ４が有する販売促進用ＷｅｂサイトのＵＲＬ（以下「販売促進用ＵＲＬ」と称する。）２１ｂと、レジシステム２が設置されている店舗を特定するための店舗ＩＤ２１ｃとを記憶している。
【００２７】
なお、会員登録処理用ＵＲＬ２１ａは、電子マネーカード１の識別情報１ｂを会員特定情報として使用して会員登録処理を行うことが可能なサーバ４にアクセスするためのアクセス情報の一例である。また、会員登録処理用Ｗｅｂサイトおよび販売促進用Ｗｅｂサイトは、携帯電話３が接続可能なＷｅｂサイトである。
【００２８】
日時計時部２２は、日時を表す日時情報を出力する。
【００２９】
入力部２３は、購入された商品を特定するための商品ＩＤを受け付ける。例えば、商品ＩＤがバーコードで示されている場合、入力部２３としてバーコードリーダが用いられる。入力部２３は、商品ＩＤを受け付けると、その商品ＩＤを処理部２６（具体的には、制御部２９）に提供する。
【００３０】
通信部２４は、電子マネーカード１と通信して電子マネー１ａを読み取ると共に、電子マネーカード１から電子マネーカード１の識別情報１ｂを読み取る。通信部２４は、電子マネー１ａと、電子マネーカード１の識別情報１ｂとを、処理部２６（具体的には、制御部２９）に提供する。
【００３１】
送受信部２５は、通信回線５または不図示の専用線を通じてサーバ４と通信する。
【００３２】
処理部２６は、入力部２３から商品ＩＤを受け付け、さらに、通信部２４から電子マネー１ａを受け付けた場合、その商品ＩＤにて識別される商品について、電子マネー１ａを用いた会計処理を行う。なお、この会計処理は公知技術なので詳細は割愛する。
【００３３】
また、処理部２６は、通信部２４からの電子マネーカード１の識別情報１ｂと、記憶部２１内の会員登録処理用ＵＲＬ２１ａと、電子マネー１ａを用いた会計処理の結果（例えば、購入金額と電子マネーの残額等）とを、不図示の記録紙に印刷して、レシート６を発行する。
【００３４】
例えば、処理部２６は、通信部２４からの電子マネーカード１の識別情報１ｂがサーバ４に登録されていない場合、通信部２４からの電子マネーカード１の識別情報１ｂと、記憶部２１内の会員登録処理用ＵＲＬ２１ａと、購買情報とをコード化し、そのコード化された情報と会計結果とを、記録紙に印刷して、レシート６を発行する。なお、購買情報は、記憶部２１内の店舗ＩＤ２１ｃと、日時計時部２２からの日時情報と、入力部２３が受け付けた商品ＩＤなどからなる。
【００３５】
一方、通信部２４からの電子マネーカード１の識別情報１ｂが既にサーバ４に登録されている場合、処理部２６は、通信部２４からの電子マネーカード１の識別情報１ｂと、記憶部２１内の販売促進用ＵＲＬ２１ｂと、購買情報とをコード化し、そのコード化された情報と会計結果とを、記録紙に印刷して、レシート６を発行する。
【００３６】
処理部２６は、例えば、通信部２４からの電子マネーカード１の識別情報１ｂがサーバ４に登録されているかをサーバ４に問い合わせて確認する。
【００３７】
ＱＲコード化部２７は、コード化部の一例であり、例えば、少なくとも電子マネーカード１の識別情報１ｂと会員登録処理用ＵＲＬ２１ａをまとめてＱＲコード化する。
【００３８】
コード化部は、ＱＲコード化部に限らず、少なくとも電子マネーカード１の識別情報１ｂと会員登録処理用ＵＲＬ２１ａを、ＱＲコードと異なるコードに変換するものであってもよい。
【００３９】
印刷部２８は、例えば、ＱＲコード化部２７にて生成されたＱＲコード６ａと、会計結果６ｂを記録紙に印刷する。
【００４０】
制御部２９は、レジシステム２を制御する。
【００４１】
例えば、制御部２９は、入力部２３からの商品ＩＤにて識別される商品について、通信部２４からの電子マネー１ａを用いた会計処理を行う。
【００４２】
また、制御部２９は、ＱＲコード化部２７に、少なくとも電子マネーカード１の識別情報１ｂと会員登録処理用ＵＲＬ２１ａからＱＲコード６ａを生成させ、印刷部２８に、ＱＲコード６ａと会計結果６ｂが印刷されたレシート６を発行させる。
【００４３】
携帯電話３は、端末の一例であり、カメラ３１と、デコード部３２と、送受信部３３と、制御部３４とを含む。
【００４４】
カメラ３１は、例えば、レシート６に印刷されたＱＲコード６ａを撮影する。デコード部３２は、カメラ３１によって撮影されたＱＲコード６ａをデコードする。送受信部３３は、通信回線５を介して、サーバ４と通信する。
【００４５】
制御部３４は、送受信部３３を用いて、デコード部３２のデコード結果に含まれるＵＲＬにアクセスし、そのデコード結果に含まれる情報（電子マネーカード１の識別情報１ｂと購買情報）を送信する。
【００４６】
サーバ４は、会員登録サーバの一例であり、送受信部４１と、管理部４３と、記憶部４２とを含む。
【００４７】
送受信部４１は、受付部の一例であり、通信回線５を通じて携帯電話３と通信する。また、送受信部４１は、通信回線５または不図示の専用線を通じてレジシステム２と通信する。
【００４８】
記憶部４２は、格納部の一例であり、会員ＤＢ（データベース）４２ａと、店舗ＤＢ４２ｂと、イベントＤＢ４２ｃと、ＷｅｂサイトＤＢ４２ｄを格納する。
【００４９】
図２は、会員ＤＢ４２ａの一例を示した説明図である。
【００５０】
図２において、会員ＤＢ４２ａは、会員特定情報２０１とプロファイル（会員の個人情報）２０２とを互いに関連づけて格納する。
【００５１】
会員特定情報２０１は、会員特定情報として使用されている電子マネーカード１の識別情報１ｂと、識別情報１ｂに対応する会員識別子２０１ａとを含む。会員識別子２０１ａは、例えば、予め会員特定情報用に使われているとする。
【００５２】
プロファイル２０２は、関連する会員特定情報２０１にて特定される会員の個人情報であり、メールアドレス２０２ａと、住所２０２ｂと、性別２０２ｃと、年齢２０２ｄと、購買履歴２０２ｅとを含む。なお、購買履歴２０２ｅとしては、会員が購入した商品の商品ＩＤなどが使用される。
【００５３】
図３は、店舗ＤＢ４２ｂの一例を示した説明図である。
【００５４】
図３において、店舗ＤＢ４２ｂは、店舗ＩＤ３０１と位置情報３０２とを互いに関連づけて格納する。
【００５５】
店舗ＩＤ３０１は、レジシステム２が設置されている店舗を特定するための情報である。位置情報３０２は、関連する店舗ＩＤ３０１にて特定される店舗が存在する位置を示す。
【００５６】
図４は、イベントＤＢ４２ｃの一例を示した説明図である。
【００５７】
図４において、イベントＤＢ４２ｃは、地域情報４０１と、施設情報４０２と、イベント名４０３と、日時情報４０４と、クーポン情報４０５と、関心情報４０６と、サイト情報４０７を互いに関連づけて格納する。
【００５８】
地域情報４０１は、地域を示す。施設情報４０２は、イベントを開催中または開催予定の施設を示す。イベント名４０３は、関連する施設情報４０２が示す施設で行われるイベントの名称を示す。日時情報４０４は、関連するイベント名４０３が示すイベントの開催日時（期間）を示す。
【００５９】
クーポン情報４０５は、関連するイベント名４０３が示すイベントで利用可能なクーポン券（割引券等）の情報を示す。
【００６０】
関心情報４０６は、関連するイベント名４０３が示すイベントに関心があると予想される個人を会員ＤＢ４２ａ内のプロファイル２０２に基づいて特定するための情報である。関心情報４０６は、サーバ４の管理者によって設定されてよいし、携帯電話３から得られる購買情報に基づいて設定されてもよい。
【００６１】
関心情報４０６としては、例えば、性別、年齢、または、商品ＩＤが使用される。
【００６２】
サイト情報４０７は、関連するイベント名４０３が示すイベント用の販売促進用ＷｅｂサイトのＵＲＬを示す。
【００６３】
図１に戻って、ＷｅｂサイトＤＢ４２ｄは、会員登録処理用Ｗｅｂサイトと、販売促進用Ｗｅｂサイトとを格納する。販売促進用Ｗｅｂサイトは、イベントＤＢ４２ｃ内の各イベント名に対応する複数種類の販売促進用Ｗｅｂサイトを含む。
【００６４】
例えば、イベント名「お祭り」に対応する販売促進用Ｗｅｂサイトでは、そのお祭りで売っている商品や割引サービスが紹介される。
【００６５】
管理部４３は、サーバ４を制御する。
【００６６】
例えば、管理部４３は、レジシステム２から、通信部２４が読み取った電子マネーカード１の識別情報１ｂがサーバ４に登録されているかの問い合わせを受け付けると、会員ＤＢ４２ａを参照して、その電子マネーカード１の識別情報１ｂがサーバ４に登録されているかを確認し、その確認結果をレジシステム２に送信する。
【００６７】
また、管理部４３は、送受信部４１が携帯電話３から会員登録処理用ＵＲＬ２１ａと共に電子マネーカード１の識別情報１ｂを受け付けた場合に、会員登録処理用Ｗｅｂサイトを用いて、携帯電話３にプロファイル（個人情報）２０２の入力を促す画面を表示させる。
【００６８】
また、管理部４３は、携帯電話３からプロファイル２０２を受け付けた場合に、電子マネーカード１の識別情報１ｂを会員特定情報２０１として会員ＤＢ４２ａに格納すると共に、プロファイル２０２を、その格納された電子マネーカード１の識別情報１ｂに関連づけて会員ＤＢ４２ａに格納する。
【００６９】
本実施形態では、管理部４３は、電子マネーカード１の識別情報１ｂを受け付けた場合に、その電子マネーカード１の識別情報１ｂに対応する会員識別子２０１ａを発行し、それら電子マネーカード１の識別情報１ｂと会員識別子２０１ａを、会員特定情報２０１として、会員ＤＢ４２ａに格納する。
【００７０】
次に、動作を説明する。
【００７１】
図５は、レジシステム２の動作を説明するためフローチャートである。以下、図５を参照して、レジシステム２の動作を説明する。
【００７２】
まず、入力部２３は、購入商品の商品ＩＤを受け付け、その商品ＩＤを制御部２９に提供する（ステップ５０１）。
【００７３】
その後、通信部２４は、電子マネーカード１から電子マネー１ａを読み取り、その電子マネー１ａを制御部２９に提供し（ステップ５０２）、また、電子マネーカード１から電子マネーカード１の識別情報１ｂを読み取る（ステップ５０３）。
【００７４】
制御部２９は、商品ＩＤと電子マネー１ａを受け付けると、商品ＩＤにて識別される商品について電子マネー１ａを用いた会計処理を行う（ステップ５０４）。
【００７５】
続いて、制御部２９は、通信部２４からの電子マネーカード１の識別情報１ｂがサーバ４に登録されているかを、サーバ４に問い合わせる（ステップ５０５）。
【００７６】
サーバ４では、管理部４３が、送受信部４１を介して、レジシステム２からの問い合わせを受け付けると、問い合わせのあった電子マネーカード１の識別情報１ｂが会員ＤＢ４２ａに既に登録されているか否かを確認する（ステップ５０６）。
【００７７】
続いて、管理部４３は、その確認結果をレジシステム２に回答する（ステップ５０７）。
【００７８】
レジシステム２では、制御部２９は、送受信部２５を介して、サーバ４からの回答を受け付けると、その回答が未登録を示すか否かを判断する（ステップ５０８）。
【００７９】
その回答が未登録を示す場合、制御部２９は、電子マネーカード１の所有者が会員になることを支援するために、電子マネーカード１の識別情報１ｂと、会員登録処理用ＵＲＬ２１ａと、購買情報（店舗ＩＤ２１ｃと、日時計時部２２の日時情報と、商品ＩＤ）とを、ＱＲコード化部２７を用いて、まとめてＱＲコードに変換する（ステップ５０９）。
【００８０】
一方、その回答が登録済みを示す場合、制御部２９は、電子マネーカード１の所有者が販売促進情報を得ることを支援するために、電子マネーカード１の識別情報１ｂと、販売促進用ＵＲＬ２１ｂと、購買情報とを、ＱＲコード化部２７を用いて、まとめてＱＲコードに変換する（ステップ５１０）。
【００８１】
なお、ステップ５０９および５１０において、制御部２９は、電子マネーカード１の識別情報１ｂを暗号化した後にＱＲコード化部２７に提供することが望ましい。
【００８２】
その後、制御部２９は、その生成されたＱＲコードと会計結果とを、印刷部２８を用いて記録紙に印刷して、レシート６を発行する（ステップ５１１）。
【００８３】
図６は、会員登録処理用ＵＲＬ２１ａを含むＱＲコード６ａを利用して、会員登録を行う動作を説明するためにシーケンス図である。
【００８４】
以下、図６を参照して、会員登録を行う動作を説明する。
【００８５】
会員登録していない電子マネーカード１の所有者は、レシート６に印刷されたＱＲコード６ａを、携帯電話３のカメラ３１を用いて撮影する（ステップ６０１）。
【００８６】
その後、デコード部３２は、カメラ３１によって撮影されたＱＲコード６ａをユーザの操作に応じてデコードする（ステップ６０２）。
【００８７】
その後、制御部３４は、デコード部３２のデコード結果に含まれる会員登録処理用ＵＲＬ２１ａを用いてサーバ４にアクセスし、そのデコード結果に含まれる情報（電子マネーカード１の識別情報１ｂと購買情報）を送信する（ステップ６０３）。
【００８８】
サーバ４では、管理部４３は、送受信部４１が携帯電話３から会員登録処理用ＵＲＬ２１ａと電子マネーカード１の識別情報１ｂと購買情報とを受け付けた場合に、携帯電話３にプロファイル（個人情報）の入力を促す画面を表すプロファイル入力画面情報を送信する（ステップ６０４）。
【００８９】
携帯電話３では、制御部３４は、プロファイル入力画面情報を受け付けると、プロファイル（個人情報）の入力を促す画面を表示する。
【００９０】
電子マネーカード１の所有者は、その画面に従って携帯電話３を操作して、自己のプロファイル（メールアドレス２０２ａと、住所２０２ｂと、性別２０２ｃと、年齢２０２ｄ）を入力する（ステップ６０５）。
【００９１】
その後、電子マネーカード１の所有者は、その画面に従って携帯電話３を操作して、自己のプロファイル２０２をサーバ４に送信する（ステップ６０６）。
【００９２】
サーバ４では、管理部４３は、携帯電話３からプロファイルを受け付けると、電子マネーカード１の識別情報１ｂに対応する会員識別子２０１ａを発行し、電子マネーカード１の識別情報１ｂと会員識別子２０１ａを会員特定情報２０１として会員ＤＢ４２ａに格納すると共に、その受け付けたプロファイルと購買情報を、その電子マネーカード１の識別情報１ｂに関連づけて会員ＤＢ４２ａに格納する（ステップ６０７）。
【００９３】
ステップ６０７が実行されることによって、電子マネーカード１の識別情報１ｂを会員特定情報として用いた会員登録が終了する。
【００９４】
図７は、販売促進用ＵＲＬ２１ｂを含むＱＲコード６ａを利用して、販売促進サービスを行う動作を説明するためにシーケンス図である。
【００９５】
以下、図７を参照して、販売促進サービスを行う動作を説明する。
【００９６】
会員登録済みの電子マネーカード１の所有者は、レシート６に印刷されたＱＲコード６ａを、携帯電話３のカメラ３１を用いて撮影する（ステップ７０１）。
【００９７】
その後、デコード部３２は、カメラ３１によって撮影されたＱＲコード６ａをユーザの操作に応じてデコードする（ステップ７０２）。
【００９８】
その後、制御部３４は、デコード部３２のデコード結果に含まれる販売促進用ＵＲＬ２１ｂを用いてサーバ４にアクセスし、そのデコード結果に含まれる情報（電子マネーカード１の識別情報１ｂと購買情報）を送信する（ステップ７０３）。
【００９９】
サーバ４では、管理部４３は、送受信部４１が携帯電話３から販売促進用ＵＲＬ２１ｂと電子マネーカード１の識別情報１ｂと購買情報とを受け付けた場合に、購買情報を、会員ＤＢ４２ａ内の電子マネーカード１の識別情報１ｂに関連する購買履歴２０２ｅに登録し、さらに、携帯電話３に提供するための販売促進サイトを決定する（ステップ７０４）。
【０１００】
具体的には、ステップ７０４では、管理部４３は、販売促進用ＵＲＬ２１ｂと電子マネーカード１の識別情報１ｂと購買情報１ｂとを受け付けた場合に、まず、会員ＤＢ４２ａを参照し、電子マネーカード１の識別情報１ｂに基づいて、会員のプロファイル２０２を特定する。
【０１０１】
続いて、管理部４３は、店舗ＤＢ４２ｂを参照して、購買情報内の店舗ＩＤに対応する位置情報３０２を読み取る。
【０１０２】
続いて、管理部４３は、イベントＤＢ４２ｃを参照して、その読み出された位置情報３０２が含まれる地域を示す地域情報４０１を特定する。
【０１０３】
続いて、管理部４３は、その特定された地域情報４０１に関連する日時情報４０４の中から、購買情報内の日時情報を含むものを検索する。
【０１０４】
管理部４３は、イベントＤＢ４２ｃから、その検索された日時情報４０４に関連するクーポン情報４０５およびサイト情報４０７を読み取り、続いて、そのサイト情報４０７に対応する販売促進サイトをＷｅｂサイトＤＢ４２ｄから選択する。
【０１０５】
なお、管理部４３は、その検索された日時情報４０４に関連する関心情報４０６が、会員のプロファイル２０２に含まれている場合、その関心情報４０６に関連するクーポン情報４０５およびサイト情報４０７を読み取り、続いて、そのサイト情報４０７に対応する販売促進サイトをＷｅｂサイトＤＢ４２ｄから選択してもよい。
【０１０６】
続いて、管理部４３は、ステップ７０４で選択された販売促進サイトに携帯電話３を接続し、携帯電話３に、ステップ７０４で読み取られたクーポン情報を送信する（ステップ７０５）。
【０１０７】
例えば、ステップ７０４でイベント名「お祭り」に関連する販売促進サイトが選択された場合、そのお祭りで売っている商品、割引サービスおよびクーポン情報が、携帯電話３に紹介される。
【０１０８】
本実施形態によれば、レジシステム２の処理部２６は、電子マネーでの会計時に、電子マネーカード１の識別情報１ｂと、その識別情報１ｂを会員特定情報２０１として使用して会員登録処理を行うことが可能なサーバ４にアクセスするための会員登録処理用ＵＲＬ２１ａとを、会計の結果と共に記録紙に印刷してレシート６を発行する。
【０１０９】
このため、電子マネーカード１の所有者は、その印刷内容を用いてサーバ４に接続すれば、電子マネーカード１の識別情報１ｂを会員特定情報２０２として使用することが可能になる。よって、電子マネーカード１の識別情報１ｂが、会員特定情報２０２として兼用され、例えば、一枚の電子マネーカード１を、いろいろな会員カードとして兼用することが可能となる。
【０１１０】
したがって、電子マネーカード１の所有者は、会員カードの管理が容易になり、また、会員サービスの提供者は、カードの発行を抑制することが可能になる。
【０１１１】
また、本実施形態では、ＱＲコード化部２７は、少なくとも電子マネーカード１の識別情報１ｂと会員登録処理用ＵＲＬ２１ａとをまとめてコード化するので、少なくとも電子マネーカード１の識別情報１ｂと会員登録処理用ＵＲＬ２１ａとをまとめてデコードすることが可能になる。
【０１１２】
また、本実施形態では、ＱＲコード化部２７は、少なくとも電子マネーカード１の識別情報１ｂと会員登録処理用ＵＲＬ２１ａとをまとめてＱＲコードに変換する。
【０１１３】
現在、多くの携帯電話は、ＱＲコードのデコード機能を備えている。このため、例えば、電子マネーカード１の所有者は、記録紙に印刷されたＱＲコードを携帯電話３で撮影してデコードすることにより、サーバ４に簡単にアクセスすることができる。
【０１１４】
また、本実施形態によれば、サーバ４の管理部４３は、電子マネーカード１の識別情報１ｂを、会員特定情報２０１として使用する。
このため、電子マネーカード１の識別情報１ｂが、会員特定情報２０１として兼用され、例えば、一枚の電子マネーカード１を、いろいろな会員カードとして兼用することが可能となる。
【０１１５】
また、本実施形態では、管理部４３は、プロファイル（個人情報）２０２が入力された場合に、電子マネーカード１の識別情報１ｂに対応する会員識別子２０１ａを発行し、電子マネーカード１の識別情報１ｂと会員識別子２０１ａを、会員特定情報２０１として会員ＤＢ４２ａに格納する。
【０１１６】
この場合、例えば、予め会員特定情報用に使われていた会員識別子２０１ａを使いながら、電子マネーカード１の識別情報１ｂを会員特定情報として使用することが可能になる。よって、会員識別子２０１ａを有効に使用することが可能になる。
【０１１７】
次に、本発明の第２実施形態を説明する。
【０１１８】
図８は、本発明の第２実施形態のレジシステムおよびサーバを用いたサービスシステムを示したブロック図である。なお、図８において、図１に示したものと同一のものには同一符号を付してある。
【０１１９】
第１実施形態では、レジシステム２は、電子マネーカード１の識別情報１ｂを受け付けた場合、電子マネーカード１の識別情報１ｂがサーバ４に登録されているかをサーバ４に問い合わせた。
【０１２０】
これに対して、第２実施形態では、レジシステム２Ａは、その問い合わせを行わず、サーバ４Ａは、携帯電話３から電子マネーカード１の識別情報１ｂを受け付けた場合に、電子マネーカード１の識別情報１ｂがサーバ４Ａに登録されているかを判断する。
【０１２１】
以下、第２実施形態について、第１実施形態と異なる点を中心に説明する。
【０１２２】
図８において、レジシステム２Ａの記憶部２１Ａは、サーバ４Ａが有するＷｅｂサイトのＵＲＬ２１ｄと、店舗ＩＤ２１ｃとを記憶している。ＵＲＬ２１ｄは、電子マネーカード１の識別情報１ｂを会員特定情報として使用して会員登録処理を行うことが可能なサーバ４Ａにアクセスするためのアクセス情報の一例である。
【０１２３】
処理部２６Ａは、入力部２３から商品ＩＤを受け付け、さらに、通信部２４から電子マネー１ａを受け付けた場合、その商品ＩＤにて識別される商品について、電子マネー１ａを用いた会計処理を行う。
【０１２４】
また、処理部２６Ａは、通信部２４からの電子マネーカード１の識別情報１ｂと、記憶部２１内のＵＲＬ２１ｄと、電子マネー１ａを用いた会計処理の結果（例えば、購入金額と電子マネーの残額等）とを、不図示の記録紙に印刷して、レシート６Ａを発行する。
【０１２５】
制御部２９Ａは、レジシステム２Ａを制御する。
【０１２６】
例えば、制御部２９Ａは、入力部２３からの商品ＩＤにて識別される商品について、通信部２４からの電子マネー１ａを用いた会計処理を行う。
【０１２７】
また、制御部２９Ａは、ＱＲコード化部２７に、少なくとも電子マネーカード１の識別情報１ｂとＵＲＬ２１ｄからＱＲコード６ａＡを生成させ、印刷部２８に、ＱＲコード６ａＡと会計結果６ｂが印刷されたレシート６Ａを発行させる。
【０１２８】
サーバ４Ａの管理部４３Ａは、サーバ４Ａを制御する。
【０１２９】
例えば、管理部４３Ａは、携帯電話３から、ＵＲＬ２１ｄと共に電子マネーカード１の識別情報１ｂおよび購買情報を受け付けた場合、会員ＤＢ４２ａを参照して、その電子マネーカード１の識別情報１ｂがサーバ４Ａに登録されているかを確認する。
【０１３０】
その電子マネーカード１の識別情報１ｂがサーバ４Ａに登録されていない場合、管理部４３Ａは、会員登録処理用Ｗｅｂサイトを用いて、携帯電話３にプロファイル（個人情報）２０２の入力を促す画面を表示させる。以降の会員登録動作は、管理部４３が行う会員登録動作と同様である。
【０１３１】
一方、電子マネーカード１の識別情報１ｂがサーバ４Ａに登録されている場合、管理部４３Ａは、携帯電話３に提供するための販売促進サイトを決定する。以降の販売促進サービス提供動作は、管理部４３が行う販売促進サービス提供動作と同様である。
【０１３２】
第２の実施形態では、第１の実施形態と同様の効果を奏する。また、レジシステム２Ａとサーバ４Ａとが通信しなくて済み、通信設備の簡略化が図れる。例えば、レジシステム２Ａの送受信部２５を省略することが可能になる。
【０１３３】
上記各実施形態は、以下の効果を奏する。
【０１３４】
サーバ４または４Ａの管理者（会員サービスの提供者、具体的には、消費者向けに商品・サービスを提供し、決済時にレシートを手渡す業態の事業者）は、電子マネーの決済時に、汎用的な電子マネーの利用者（消費者）を、簡単に自社の会員（ポイント会員など）に誘導し、会員化することが可能になる。このため、上記各実施形態は、自社会員の獲得に有効な仕組みとなる。
【０１３５】
また、ＱＲコードなどの中には、ＵＲＬ、電子マネーカード１の識別情報１ｂ、購買情報（店舗・品目（商品ＩＤなど）・日時）が抱合されており、消費者がそれらの情報を用いてサーバ４または４Ａにアクセスしたときに、サーバ４または４Ａは、それらの情報から消費者の状況に応じた情報を携帯電話３へ提供することが可能となる。
【０１３６】
また、上記各実施形態では、消費者がレシートのＱＲコードを携帯電話３で撮影するという主体的な行動を前提として、消費者の購買時点での消費者の属性・店舗属性・購買内容に応じた情報が、携帯電話３に提供される。このため、きめ細かく、かつ、消費者の意向にそった親和性のある仕組みが提供される。
【０１３７】
また、消費者は、購買時のレシートのＱＲコードを撮影し、それに伴うプロファイル登録だけで、電子マネーカードを、その店（事業主）のポイントカードとすることが可能であり、便利である。
【０１３８】
また、上記各実施形態は、消費者に、購買に応じたきめ細かい情報提供を受けられる利便性を提供する。具体的には、消費者がＱＲコードを撮影したときに、顧客の状況（会員か非会員かと、どの地域の店で何をいつ購入したのかの購買情報、これまでの購買履歴）などに応じた情報やクーポンなどを携帯サイトで提供することが可能であり、携帯電話でより有効な情報を受け取ることができる。
【０１３９】
特に、サーバ４および４Ａは、店舗ＩＤと日時情報から、消費者が現在存在する地域を特定できる可能性が高い。このため、サーバ４および４Ａは、消費者が現在存在する地域に応じた情報を、携帯電話３を介して消費者に提供することが可能になる。つまり、サーバ４および４Ａは、消費者ごとに、その消費者に適した情報を提供することが可能になる。
【０１４０】
以上説明した各実施形態において、図示した構成は単なる一例であって、本発明はその構成に限定されるものではない。
【図面の簡単な説明】
【０１４１】
【図１】本発明の第１実施形態のレジシステムおよびサーバを用いたサービスシステムを示したブロック図である。
【図２】会員ＤＢ４２ａの一例を示した説明図である。
【図３】店舗ＤＢ４２ｂの一例を示した説明図である。
【図４】イベントＤＢ４２ｃの一例を示した説明図である。
【図５】レジシステム２の動作を説明するためフローチャートである。
【図６】会員登録処理用ＵＲＬ２１ａを含むＱＲコード６ａを利用して、会員登録を行う動作を説明するためにシーケンス図である。
【図７】販売促進用ＵＲＬ２１ｂを含むＱＲコード６ａを利用して、販売促進サービスを行う動作を説明するためにシーケンス図である。
【図８】本発明の第２実施形態のレジシステムおよびサーバを用いたサービスシステムを示したブロック図である。
【符号の説明】
【０１４２】
１        電子マネーカード
１ａ      電子マネー
１ｂ      識別情報
２、２Ａ  レジシステム
２１、２１Ａ  記憶部
２１ａ    会員登録処理用ＵＲＬ
２１ｂ    販売促進用ＵＲＬ
２１ｃ    店舗ＩＤ
２１ｄ    ＵＲＬ
２２      日時計時部
２３      入力部
２４      通信部
２５      送受信部
２６、２６Ａ  処理部
２７      ＱＲコード化部
２８      印刷部
２９、２９Ａ  制御部
３        携帯電話
３１      カメラ
３２      デコード部
３３      送受信部
３４      制御部
４、４Ａ  サーバ
４１      送受信部
４２      記憶部
４２ａ    会員ＤＢ
４２ｂ    店舗ＤＢ
４２ｃ    イベントＤＢ
４２ｄ    ＷｅｂサイトＤＢ
４３、４３Ａ  管理部
５        通信回線
６、６Ａ  レシート
６ａ、６ａＡ  ＱＲコード
６ｂ      会計結果
【図１】
2009053837.tif 000003
【図２】
2009053837.tif 000004
【図３】
2009053837.tif 000005
【図４】
2009053837.tif 000006
【図５】
2009053837.tif 000007
【図６】
2009053837.tif 000008
【図７】
2009053837.tif 000009
【図８】
2009053837.tif 000010